(57)【要約】      （修正有）【課題】固体、液体、気体又はその組み合わせを保持する可撓性の再シール可能容器及びシステムを提供する。【解決手段】ポリエチレン及びポリウレタンのラミネート状パネルと、一対の対向シール部材を有する直線状相互ロック封止要素と、取り外し可能スライダ８０と、可撓性容器２０と一体の新規高強度アパチャ／ハンドルとを含む。取り外し可能スライダ８０は、様々な厚さのシール可能封止体を収容し；封止体のシール部材の対向相互ロック部分と漸次的に係合し；不意な分離に抵抗するべく封止体に隣接する容器２０の複数部分と係合し及び／又はスライダ８０の容器２０からの引張分離に抵抗する手段を与えるべくシール部材の複数部分と係合し；容器２０の輸送、取り付け、付着、又は適合を促す永久的又は取り外し可能なハンドルを組み入れ；封止動作中にシール可能封止体に適用されるシール圧力を選択的に修正する構造体を含む。【選択図】図１５
2014111481.tif 000002
【特許請求の範囲】
【請求項１】
固体、液体、気体、又はこれらの組み合わせを保持する可撓性容器であって、
外表面、内表面、及び外周の周縁部を有する第１パネルと、
外表面、内表面、及び外周の周縁部を有する第２パネルと
を含み、
前記第１パネルの周縁部の少なくとも一部が、前記第２パネルの周縁部の少なくとも一部にシール接合され、かつ、前記第１パネルの周縁部の一部が前記第２パネルの周縁部の一部と対向してシール可能な開口を画定し、
前記第１パネルの内表面又は前記第２パネルの内表面の少なくとも一つがポリエチレンを含み、かつ、前記第１パネルの外表面又は第２パネル外表面の少なくとも一つがポリウレタンを含む可撓性容器。
【請求項２】
前記シール可能な開口の少なくとも一部に取り外し可能に係合するべく適合された取り外し可能スライダをさらに含む、請求項１に記載の可撓性容器。
【請求項３】
前記取り外し可能スライダは、下壁によって画定されたスロットを含み、
前記スロットは、少なくとも２つの前記パネルを受け入れ、かつ、これらの間に設けられた場合にこれらの分離に対する抵抗を与えるサイズとされる、請求項１又は２に記載の可撓性容器。
【請求項４】
前記シール可能な開口は、第１及び第２の相互ロック部分を含む二部品封止システムを含み、
前記第１及び第２の相互ロック部分はそれぞれが、対応する相互ロック要素に隣接する段部を有する、請求項１から３のいずれか一項に記載の可撓性容器。
【請求項５】
前記スライダは、前記スライダと前記容器との間に引っ張り力が適用される場合に各段部の少なくとも一部に接触する支承表面を含む、請求項１から４のいずれか一項に記載の可撓性容器。
【発明の詳細な説明】
【技術分野】
【０００１】
本発明は、固体、液体、気体、又はこれらの組み合わせを保持する可撓性の再シール可能な容器及びシステムに関する。
【背景技術】
【０００２】
本発明の複数の実施例は、新規なラミネート状パネルと、一対の対向シール部材を含む新規なシール可能封止体と、新規な取り外し可能スライダと、可撓性容器と一体となる新規な高強度アパチャ／ハンドルとを組み合わせて又は選択的に含む。新規な取り外し可能スライダは、様々な厚さのシール可能封止体を収容するための、封止体のシール部材の対向する相互ロック部分と漸次的に係合するための、不意な分離に抵抗するべく封止体に隣接する容器の複数部分と係合し及び／若しくはスライダの容器からの引っ張り分離に抵抗する手段を与えるべくシール部材の複数部分と係合するための、容器の輸送、取り付け、付着、若しくは適合を促す永久的な若しくは取り外し可能な単数若しくは複数のハンドルを組み入れるための、並びに／又は封止動作中にシール可能封止体に適用されるシール圧力を選択的に修正するための構造体を含む。
【０００３】
本特許の目的として、ここに使用されかつ例示とされる用語「面積」、「境界」、「部品」、「部分」、「表面」、「領域」、及びこれらの同義語、等価語、及び複数形は、記載される対象に関する記述的な基準又はランドマークを与えることが意図される。これら及び類似又は等価の用語は、そのように特記されているか又は当該単数若しくは複数の用語が使用されるいくつかの図面及び／若しくは文脈から明確でない限り、参照される対象の自明な要素を制限又は定義することを意図するものではなく、推論するものでもない。
【発明の概要】
【０００４】
上記を考慮して、本発明の複数の実施例は、可撓性容器の少なくとも一つのパネルを有する新規な複数のラミネート状パネルに関する。新規な複数のラミネート状パネルは、少なくとも２つのシート又はフィルムのラミネートを含む（ここで使用される「シート」及び「フィルム」は互換可能に使用され、重合体可撓性容器の技術分野で典型的に使用されるタイプのような大きな表面積及び相対的に小さな断面厚さを有する材料を意味することが意図される）。ここで、第１シートはポリエチレン（「ＰＥ」）を含み、第２シートはポリウレタン（「ＰＵ」）を含む。ポリウレタンシートがポリエチレンシートに結合される複数の実施例において、当該結合は、接着剤、熱接着、共有押し出し成形、又は２つの重合体間の単数又は複数の専用つなぎ層の使用によって達成することができる。この特徴を組み入れた選択的な複数の実施例において、ＰＥシートは通常、容器内部に露出され、及び、ＰＵシートは、容器外部に露出されるか又は３層以上のラミネートに組み入れる場合は中間層とされる。
【０００５】
ポリエチレン及びポリウレタンのラミネート状パネルを組み入れた複数の実施例の利点の非網羅的なまとめが、以下の表に詳述される。
【表１】
2014111481.tif 000003
【０００６】
本発明の複数の実施例は、二部品封止システムを有する新規な可撓性容器に関する。二部品封止システムは、以下に詳述されるように、高ＥＶＡ（エチレン酢酸ビニル）含有率パネルを機能的に収容する手段及びスライダを受け入れる手段を与える一対の対向シール部材を含む。複数のシール部材は複数の相互ロック部分を含む。複数の相互ロック部分は、そろえられて対向しかつ圧縮される場合に気体、流体、及び固体の緊密シールを形成するが、当該技術分野で知られている例えばジップロック（登録商標）可撓性容器のような「グリップアンドピール」動作のように手動で変位させることによって分離することができる。各シール部材は、グリップ部分、相互ロック部分、及びフランジ又はパネル部分を含む。これらのうちフランジ又はパネル部分は、容器のパネルに結合されるか又はその一部品を形成する。
【０００７】
上述したタイプの従来型可撓性容器に一般に見出される二部品封止システムは、直鎖状低密度ポリエチレン（「ＬＬＤＰＥ」）及びエチレン酢酸ビニル（「ＥＶＡ」）を含むフィルム組成物から形成される場合が多い。かかる封止システムの相互ロック部分の性質は、当該フィルムの機械的特性により決まる。ＥＶＡが当該封止体に可撓性及び柔軟性を与えるべく使用される一方、ＬＬＤＰＥは、シールされた場合に当該封止体に強度及び信頼性を与えるべく使用される。封止システムのＥＶＡ含有率を増やすと、その有用性が高まるが、既存の封止システムは、従来型のＥＶＡ割合よりも高くすると使用中に故障する。しかしながら、高いＥＶＡ含有率を組み入れた容器の使用中に新規な取り外し可能スライダを使用することによって、ＥＶＡ含有率が、封止体の組成物の３０重量％を上回ることができる。かかる封止体の好ましい組成はＥＶＡ５０重量％であるが、５０％を超過するＥＶＡ濃度も可能であり、場合によっては望ましい。
【０００８】
本発明に係る取り外し可能のスライダの使用は、シール部材の高いＥＶＡ含有率を収容する好ましい手段である。ただし、従来型シール部材の先行技術ＥＶＡ含有率を修正することは、ここに記載されるスライダの使用又は動作にとって必要というわけではない。本発明に係る取り外し可能スライダの複数の実施例は、好ましくはフランジ又はパネル部分が広がることを制限することによって、シール部材の相互ロック領域の分離を制限する手段を与える。これは好ましくは、以下に詳述されるように、相互ロック部分に又はその近くにあるフランジ／パネル部分の分離を制限することによって達成される。しかしながら、封止システムの相互ロック部分同士間の変位を制限する手段はいずれも、本発明の範囲内にあるものとみなされる。
【０００９】
本発明の所定スライダの複数の実施例において、スライダの下壁に画定される細長いスロットの側方幅は、シール部材のフランジ／パネル部分の断面厚さの２倍以上であるが、相互ロック部分における対向シール部材の組み合わせ断面厚さ未満である。スライダはさらに、スライダ本体によって画定されたスロート、好ましくは長手方向に延びるキャビティを含む。スロート及びスロットは双方ともスライダの端からアクセスすることができる。閉じられたシール部材の対をスロート及びスロット内に導入すると、当該スロットを画定する下壁によって、相互ロック領域に先立つフランジ／パネル部分の分離に対する物理的な拘束が与えられる。相互ロック部分に隣接するフランジ／パネル部分を分離する任意の付勢が抵抗を受ける。先行技術の封止システム（単数段の複数の実施例）に対して相補的な幾何学的配列を有するスライダを使用することもできるが、最適な結果は、本発明の好ましい複数の実施例によって達成される。便宜上、この締まり又は戻り部分の影響を受ける領域は、広がり抵抗手段とも称する。
【００１０】
本発明のスライダの複数の実施例はまた、追加的に又は選択的に、複数のシール部材の係合を促す少なくとも一つの側方変位可能要素を含む。少なくとも一つの側方変位可能要素は、スライダの容器接触面積全体の５０％未満を含む。好ましくは１０％未満である。側方変位可能要素は好ましくは、ヒンジ結合されて相互ロック部分に接触するタブを含む。タブの内接触表面（一シール部材の相互ロック領域に接触する表面）とスライダ本体の対向内表面との距離は、シール部材の対向する対の相互ロック部分における公称厚さに等しいのが好ましい。これにより、本発明のこの特徴を組み入れた封止体が閉じた位置にある場合にシール部材及びスライダの双方のずれ動く可能性が低減される。さらに、かかるタブは、大きな公称厚さを有する封止システムの相互ロック部分を収容するべく側方かつ外方に撓む能力を有し、及び、タブが与える封止付勢を増加させるべくユーザが側方かつ内方に付勢した力を受け入れる能力を有する。本発明の選択された複数の実施例において、双方とも実質的に同じ機能を果たす２つの対向タブが使用される。好ましい構造材料は、アセタール樹脂である。これにより、低摩擦、高剛性、及び低いずれ動き特性が得られる。加えて、アセタール樹脂は、好ましいシール部材組成物と同様に温度変動に対し機械的に応答する。
【００１１】
複数のシール部材の係合を促す少なくとも一つの側方変位可能要素を用いる複数の実施例の有用性を高めるべく、その内表面は、複合的な曲率を有することができる。複合的な曲率又は表面は、シール部材の対の相互ロック部分に対して漸次的に作用する。すなわち、スライダの並進中、相互ロック部分の第１部品が対向し、その後第２部品が対向する。この特徴により、シール工程中の係合力が低減される。
【００１２】
少なくとも一つの側方変位可能要素が好ましくは、上述したようにシール表面分離力を最小化するべく使用される広がり抵抗手段から機能的に独立していることに留意すべきである。機能及び物理的位置がこのように分離されることにより、各要素／造形の幾何学的配列及び組成の双方を、その意図される目的のために調整すること、及び機能的に望ましくない妥協を回避することができる。
【００１３】
上述に加え、本発明に係るスライダは、当該スライダの機能性を高めかつそれに連結される任意の容器の有用性を高めるべく、様々な表面造形及びアパチャを組み入れることができる。例えば、所定の複数の実施例は、封止システム全体にわたるスライダの動きを促すべく、少なくとも一つの側方変位可能要素に隣接する隆起した造形を含むことができる。この隆起した造形はまた、少なくとも一つの側方変位可能要素のための構造的基礎を強める。これにより、大面積にわたって力が分散されるので、スライダの寿命が延びる。加えて、スライダ又は延びるハンドル界面の双方に様々な孔を形成することができる。これにより、機能性（水貯蔵バッグと一緒に用いられるのが一般的な懸架クリップとともに使用される構造的な取り付け界面）が高まり、及び重量が低減される。
【００１４】
上述に加え、スライダは、以下で詳述するように、一体型ハンドル（「Ｊ」字型又は「Ｔ」字型ハンドルのような閉じられたアパチャ又は突出するアーム）とともに構成され、又は取り外し可能グリップ部材を受け入れるハンドル界面を与えることができる。
【００１５】
スライダから取り外し可能なハンドル（又は取り外し可能ハンドル手段を与えるスライダ）はいずれの形態も本発明の範囲内にあるとみなされる一方、取り外し可能ハンドルを与える本発明の所定の複数の実施例は、少なくとも一つのハンドル受け入れ部分、好ましくは２つのハンドル受け入れ部分を有する。選択された複数の実施例において、スライダのハンドル界面は、好ましくはスライダ界面に沿って長手方向に配置される２つのラグ受け入れ孔を画定する。そして、終端にラグを有する可撓性の細長いハンドルがスライダに受け入れられる。ハンドルが望まれないか又は重量への配慮が優先される場合、これは省略可能であり、かつ、スライダの所定の複数の実施例の一体型アパチャのみに頼ることができる。さらに、スライダが画定するハンドル受け入れ部分の一般的な性質ゆえに、スライダとの使用を目的として異なる形態のハンドルを適合することもできる。上述に加え、ラグ受け入れ孔は、取り付け界面が自己倍力作用を有するように、すなわちハンドル負荷が高ければ高いほど、ハンドル及びスライダ間の固定力が強まるように構成することができる。
【図面の簡単な説明】
【００１６】
【図１】一体型注ぎ口を有する可撓性流体容器の部分斜視図である。
【図２】可撓性流体容器の部分平面図である。
【図３】先行技術に係る２つのシール部材を有する二部品封止システムの端面図である。２つのシール部材はそれぞれ、フランジ／パネル部分、グリップ部分、及び相互ロック部分を含む。一つのシール部材が一段を含む。
【図４】本発明の一実施例に係る２つのシール部材を有する二部品封止システムの端面図である。２つのシール部材はそれぞれ、フランジ／パネル部分、グリップ部分、及び相互ロック部分を含む。シール部材が双方とも一段を含む。
【図５】可撓性容器の２つのパネルに結合された図４の封止システムの正面断面図である。
【図６】本発明に係るスライダ実施例の斜視図である。
【図７】図６のスライダの正面図である。
【図８】図６のスライダの端面斜視図である。二部品封止システムのシール部材同士の係合をもたらすべく使用されるスロート及びヒンジ結合タブが特に詳細に示される。
【図９】図７の９−９線沿いの底面断面図である。本体の両側壁及び上壁によって形成されるキャビティが特に詳細に示される。
【図１０】本体のスロートにある図９に示されたヒンジ結合タブの詳細図である。
【図１１】図５の封止システム及び容器に係合した図６のスライダの斜視図である。
【図１２】図６のスライダの底面図である。スライダ本体の下壁が画定するスロットが特に例示される。
【図１３】図１２の１３−１３線に沿った正面断面図である。
【図１４】図６のスライダの端部正面斜視図である。スライダ本体スロート、ヒンジ結合タブ、及びスロットが特に詳細に示される。
【図１５】本発明の一実施例に係る二部品封止システム及び本発明の一実施例に係るスライダを有する容器を含む、本発明に係るシステムの正面断面斜視図である。
【発明を実施するための形態】
【００１７】
序文：いくつかの図面における番号引き出し線の終端は、このセクションにおいて記載される任意の構造、参照、又はランドマークに関連付けられる場合、その記載される対象に関する構造、参照、又はランドマークを代表的に特定することが意図される。これらは、特にそのような記載がない限り、又は当該単数又は複数の用語が使用される図面及び文脈から表面的に明らかでない限り、参照される対象の境界を本質的に区切り又は画定することを意図しないし、推論すべきでもない。特にそのような記載がない限り、又は当該単数又は複数の用語が使用される図面及び文脈から表面的に明らかでない限り、すべての語句及び視覚的な補助には、ここでの開示の文脈に整合する一般的な商業的及び／又は科学的意味が与えられるべきである。
【００１８】
以下、同じ部品に同じ番号が付されたいくつかの図面を参照して、本発明の複数の実施例を示す。本発明の複数の実施例は、固体及び流体を保持するべく一般に使用されるタイプの可撓性容器に関する。図１及び２は、容器２０の代表的な図を与える。容器２０は、パネル２２ａ及び２２ｂ、注ぎ口２４、及び溶接部２６を含む。容器２０の有用性を高めるべく、溶接面積部にハンドル又は開口２８が形成される。
【００１９】
注ぎ口２４が容器２０に対する流体の出入りの便宜を与える一方、例えば角氷のような多くの固体に関しては、大きな開口が必要となる。この点において、パネルが完全に開口することが必要となるので、かかる開口を流体的にシールする能力が必要となる。従来型二部品封止システムは、この目的を達成するべく過去において使用されており、図３に示されるものと同一又は類似の構造に依存している。かかるシステムは、その意図された目的にとって十分である一方、所定の環境において及び非従来型重合体調整物から製造される場合においては不十分となる。
【００２０】
図４に示される二部品封止システム３０は、特に図６に代表的に示されるスライダ８０と一緒になって、最適化された重合体調整物を使用する一方で、構造的な一体性を保持することができる。すなわち、一般的な故障なしで流体を保持する能力が得られる。容器２０のパネル２２ａ及び２２ｂに結合された最終的な結果が図５に示される。
【００２１】
シール部材３２ａ及び３２ｂは、これらのそろえられて対向する対が封止システム３０を形成する。シール部材３２ａ及び３２ｂはそれぞれ細長片３４を含む。細長片３４は、３つの主要部分、すなわちパネル部分４０、グリップ部分５０、及び相互ロック部分７０を有する。任意の所与のシールに対する当該部分又は要素それぞれには、参照の便宜上、シールの接尾辞、すなわち「ａ」又は「ｂ」が含まれる。したがって、相互ロック部分７０ａは必然的にシール部材３２ａに関連付けられる。しかしながら、当該部分又は要素のいずれかが一般的に言及される場合、このような接尾辞は使用されない。
【００２２】
選択された命名法から暗示されるように、細長片３４のグリップ部分５０は、グリップ細長片５２ａ及び５２ｂを分離するためのアクセス可能手段、ひいては相互ロック部分６０ａ及び６０ｂをユーザに与える機能を果たす。グリップ細長片５２ａ及び５２ｂの有用性を高めるべく、グリップ細長片の一方、他方、又は双方に隆起造形及び／又は突起５４が形成される。かかる突起は、グリップ部分５０ａの細長片３４ａの内表面３６ａに、グリップ部分５０ｂ細長片３４ｂの内表面３６ｂに、グリップ部分５０ａ細長片３４ａの外表面３８ａに、グリップ部分５０ｂの細長片３４ｂの外表面３８ｂに、及び／又は上述の組み合わせに形成することができる。当該複数の突起は、例えば点、隆起、及び／又は幾何学的形態のように明確に区別され、及び／又は、延びた直線状及び／又は曲線状の線とされる。これらの摩擦強化手段は、ユーザの手に手袋が存在することユーザの手に潤滑剤タイプの物質が存在すること、極端な温度ゆえにユーザの手に器用さが欠けること、及び同様の操作上のハンディキャップにより生じるグリップ上の問題に対処するべく設けることができる。加えて、これらの所定形態の隆起造形及び／又は突起は、構造的な剛性をグリップ部分５０に付加するので、スライダ８０との関連付けが容易となる。これは以下で詳細に述べる。
【００２３】
シール部材３２ａ及び３２ｂが細長片状であってパネル２２ａ又は２２ｂと一体にされていないが、当業者であれば、シール部材３２ａ及び３２ｂが、その形成時に一つのパネル又は複数のパネルと一体にされ得ること又は、例示の実施例に当てはまるように、パネル形成後の工程において一つのパネルに別個に結合若しくは固定され得ることがわかる。したがって、いくつかの図面に示される各パネル部分４０は、パネル２２ａ及び２２ｂにシール固定されることが意図され、かつ、この実施例においてはパネル部分４０ａ及び４０ｂを含むものとみなされる。
【００２４】
パネル部分４０とグリップ部分５０との間には、相互ロック部分６０が配置される。相互ロック部分６０ａ及び６０ｂが、当業界に知られているように互いにそろえられて対向し、かつ、圧縮を受ける場合に、互いにシール係合するように形成される。各相互ロック部分は基部６２を含む。基部６２からは、頭部６６を有するランド６４が延びる。頭部６６は、幾何学的に相補的な溝６８を画定する。例示の実施例において、相互ロック部分６０ａの細長片３４ａが基部６２ａを形成する一方、基部６２ｂは、細長片３４ｂからオフセット６３ｂだけずらされる。現時点では好ましいが、当業者であれば、オフセット６３ｂの存在若しくは不存在、又は相互ロック部分６０ａの細長片３４ａ及び基部６２ａが同じく延びる性質が、シール部材３２ａ及び３２ｂ間を流体密封する機能にとって必然的というわけではないことがわかる。
【００２５】
また、当業者であれば、容器がシール状態にありかつパネル部分４０ａ及び４０ｂが変位される場合に、頭部６６の幾何学的形態及び非対称性が、対応する溝からの係合解除に対して有利にも抵抗することがわかる。オフセット６３の配置及び性質はさらに、この目的にとって有利である。しかしながら、かかる構造及び幾何学的配列は、本発明の複数の実施例の動作にとって必然的というわけではなく、その一表現形態を代表するに過ぎない。
【００２６】
パネル部分４０と相互ロック部分６０との界面近くには、シール部材３２ａ及び３２ｂそれぞれに対して段部７２が配置される。段部７２ａ及び７２ｂは、相互ロック要素７０ａ及び７０ｂを互いから変位させる手段を与える。これにより、シール部材３２ａ及び３２ｂが係合される場合、パネル部分４０ａ及び４０ｂは、締まり領域４４ａ及び４４ｂ（図５参照）において互いに密に近接して保持される。以下からわかるように、段部７２ａ及び７２ｂは有利にも、スライダ８０との相互作用手段を与える。これにより、スライダ８０は、シール部材３２ａ及び３２ｂを圧縮係合させる手段に加え、段部７２ａ及び７２ｂそれぞれの支承表面７４ａ及び７４ｂを圧縮接触させることによって容器２０を輸送する手段としても機能することができる。
【００２７】
例示の実施例が段部７２を、一般にパネル部分４０から直角に延びるように示しているが、当業者であれば、相互ロック要素を任意の角度に変位させる機能を達成する任意の延び角度及び／又は幾何学的形態で足りることがわかる。好ましくは、かかる角度及び／又は形態のいずれも、シール部材３２ａ及び３２ｂが係合される場合、パネル部分４０ａ及び４０ｂが、締まり領域４４ａ及び４４ｂ（図５参照）において互いに密に近接して保持されることを許容する。
【００２８】
図６から１５に最も良く示されるスライダ８０は、アセタール重合体材料から製造されるのが好ましい。アセタール重合体材料は、高強度及び長寿命を与える一方で軽量製品も与える。スライダ８０は、直線形態で示されるが、平面の及び／又は複合する幾何学的配列において一定の曲率半径を有して形成することもできる。当業者であれば、任意の対応する封止システムもかかる幾何学的配列を考慮する必要があることがわかる。
【００２９】
スライダ８０は、容器２０と組み合わせられていくつかの機能を行う。当該機能は、それぞれが別個に利用され及び／又は様々な組み合わせで利用され、かつ、本発明の範囲内とみなされる。非制限的かつ非順序的な列挙では、スライダ８０の第１機能は、相互ロック部分６０ａ及び６０ｂを漸次的に圧縮する能力に関する。第２機能は、シール部材３２ａ及び３２ｂが係合される場合、パネル部分４０ａ及び４０ｂを締まり領域４４ａ及び４４ｂにおいて互いに密に近接して保持する能力に関する。第３機能は、相互ロック部分６０の幾何学的配列を利用することにより容器支承界面として機能する能力に関する。第４機能は、ユーザが望む場合（例えば、シール部材３２ａ及び３２ｂ間の最大変位、又は高度な格納若しくは使用能力が望ましい場合）に容器２０から完全に取り外される機能に関する。
【００３０】
スライダ８０は本体８２を含む。本体８２は、上部分８４、下部分９０、端部１０４及び１０８、並びに側部１００ａ及び１００ｂを有する。上部分８４は、上壁８６及びそこから延びるハンドル界面１２０を含む。端部１０８は端壁１０９を含む。端壁１０９は、上壁８６並びに側部１００ａ及び１００ｂとともに本体キャビティ１０２を画定する（図９、１０、１３、及び１４参照）。端部１０４はスロート１０６を含む。スロート１０６は一般に、上壁８６並びに側部１００ａ及び１００ｂによって画定される。これは、図６、８、１０、及び１４に最も良く示される。下部分９０はスロット９２を含む。スロット９２は下壁９４によって画定される。これは、図８、１２、及び１４に最も良く示される。特に、側表面９６ａ及び９６ｂがスロット９２を画定する。側表面９６ａ及び９６ｂは、以下にさらに詳細に述べるように、パネル２２ａ及び２２ｂの分離を防止するべく、容器２０の使用中に締まり領域４４ａ及び４４ｂを支承する。加えて、下部分９０は支承表面９８ａ及び９８ｂを含む。支承表面９８ａ及び９８ｂは、以下にさらに詳細に述べるように、段部７２ａ及び７２ｂそれぞれの支承表面７４ａ及び７４ｂを圧縮支持する。
【００３１】
スライダ８０の本体８２はさらに、ヒンジ結合タブ１１０ａ及び１１０ｂの形態の動的要素を含む。ヒンジ結合タブ１１０ａ及び１１０ｂは、相互ロック部分接触表面１１２ａ及び１１２ｂを有する。相互ロック部分接触表面１１２ａ及び１１２ｂは、これらの間にシール部材３２ａ及び３２ｂが存在する場合にユーザによって対向方向に圧縮されると、相互ロック部分６０に必要な圧縮力を与えるべく動作する。ユーザは、シール部材３２ａ及び３２ｂを、相互ロック部分接触表面１１２ａ及び１１２ｂを通過するように並進させることによって当該シールを完全に相互ロックすることができる。この構成の利点は、様々な幾何学的配列及び厚さのシールを収容できることにある。これは、静的なシール配列には当てはまらない。
【００３２】
当業者であればもちろん、本体８２とのヒンジ連結若しくは関連付けが当該シールへの動的な圧縮付勢を達成する唯一の手段ではないこと、本体８２の側部１００ａ及び１００ｂのヒンジ結合タブ１１０ａ及び１１０ｂの例示される配置及び／若しくは配向が排他的ではないこと（例えば、例示のタブの配向が９０度、１８０度、若しくは２７０度、又はさらには任意の角度回転され得ること）、並びに／又は、かかる動的要素が一を超えて必要とされることがわかる。したがって、スライダ８０に配置された任意の側方変位可能な単数又は複数の要素が、キャビティ１０２内に有効に設けられた場合にシール部材３２ａ及び３２ｂの少なくとも一つと圧縮接触することができるので、本発明の実施例のこの側面の要求を満たす。かかる単数又は複数の要素は集合的に、単数又は複数の動的圧縮器と称する。
【００３３】
上記開示の配列及びその等価物に対する利点は、所与のシールを目的として相互ロック部分６０を機能的に係合させる能力を依然保持しながらも、ヒンジ結合されたタブ１１０ａ及び１１０ｂのアクティブな接触表面１１２ａ及び１１２ｂの間に相対的に大きな距離を、部分的に厚い封止体を収容するべく（及び、例示の実施例に当てはまるような、キャビティ１０２内の最小側方距離まで外方に動く能力が与えられた場合に）、保持することができるということである。したがって、スライダ８０は、広範な封止体とともに使用することができる。
【００３４】
スライダ８０を容器２０に関連付けること又は容器２０とともに使用することはまた、容器２０が一杯である場合又は内部圧力が周囲／外部圧力を超える場合にパネル２２ａ及び２２ｂが締まり領域４４において広がることに抵抗する手段も与える。この広がり効果を相互ロック領域要素の幾何学的配列が軽減しようとする一方、締まり領域４４ａ及び４４ｂが延びるスロット９２を画定する側表面９６ａ及び９６ｂによって付加的な抵抗が与えられる。この広がり抵抗手段は、比較的高いＥＶＡ含有率を有する容器及び／又はシール（すなわち柔らかい及び／又は追従性のパネル及び／又はシール）を伴う場合に特に有用である。
【００３５】
当業者であればわかるように、スライダ本体８２の下壁９４並びに／又は側表面９６ａ及び９６ｂは、この構造によって与えられる分離抵抗への利点を実現するために必ずしも連続的である必要はない。セグメント化された壁及び／又は表面が用いられて同一又は類似の最終的な結果を達成することができる。したがって、これらも等価物とみなされる。
【００３６】
スライダ本体８２の下壁９４はまた、パネル広がり抵抗に追加される機能性、すなわち容器２０の重力に対する支持（例えば、支承、懸架等）を与えることができる。上述のように、段部７２ａ及び７２ｂは支承表面７４ａ及び７４ｂを含む。支承表面７４ａ及び７４ｂは、スライダ本体８２及び容器２０が図１５に最も良く示される相対的引っ張り状態にある場合、本体下壁９４の支承表面９８ａ及び９８ｂと圧縮的に相互作用する。パネル広がり抵抗手段に関して当てはまることだが、当業者であれば、スライダ本体８２の下壁９４並びに／又は支承表面９８ａ及び９８ｂが、この構造によって与えられる引っ張り抵抗の利点を実現するために必ずしも連続的である必要はない。セグメント化された壁及び／又は表面が用いられて、これらの間における直角方向の分離に対する同一又は類似の最終的な抵抗を達成することができる。したがって、これらも等価物とみなされる。ここに使用されるように、用語「直角方向」は、容器に沿ったスライダの進行方向に対して実質的に垂直な方向を言及する。ここで、スライダと容器との間には、引っ張り力が存在する。
【００３７】
スライダ本体８２と容器２０との間における直角方向の分離に抵抗する手段を与えることに加え、スライダ８０は、容器の支承、懸架等のための界面として機能する。これを目的として、ハンドル界面１２０が上壁８６から延びる。例示の実施例においては、可撓性ハンドルのためのいくつかの孔及び受け入れ配列が設けられる（図６から８参照）。こうすることにより、ユーザは、容器２０に形成され又は付着された孔及び他の構造物に依存する必要がなくなる。当該構造物は、特に容器２０が大きいか又は著しい質量を有する場合、引き裂き、剥離、又は他の形態の構造的な故障が生じやすい。さらに、容器２０を配置又は支承するためのこの堅固な手段は取り外し可能である。すなわち、必要とされない場合、スライダ８０を取り外して後に再係合することができる。もちろん、当業者であれば、任意の様々な配置及び／又は輸送装具を、ここに明示的に開示されたものに限られることなく、ハンドル界面１２０に関連付け得ることがわかる。
【００３８】
スライダ８０の造形は、可撓性ハンドル１２２を受け入れる能力となる。ハンドル１２２は、重合体リボン１２４を含む。重合体リボン１２４は、ラグ１２６が付着された２つの端を有する。さらに、ラグ１２６は、ハンドル界面１２０に形成された受容器１２８に嵌められる。望まれる場合にのみ存在するテーマに従ってハンドル１２２は、便宜に取り外され、かつ、望まれるように再び装着することができる。
【図１】
2014111481.tif 000004
【図２】
2014111481.tif 000005
【図３】
2014111481.tif 000006
【図４】
2014111481.tif 000007
【図５】
2014111481.tif 000008
【図６】
2014111481.tif 000009
【図７】
2014111481.tif 000010
【図８】
2014111481.tif 000011
【図９】
2014111481.tif 000012
【図１０】
2014111481.tif 000013
【図１１】
2014111481.tif 000014
【図１２】
2014111481.tif 000015
【図１３】
2014111481.tif 000016
【図１４】
2014111481.tif 000017
【図１５】
2014111481.tif 000018
【手続補正書】
【提出日】平成26年1月30日(2014.1.30)
【手続補正１】
【補正対象書類名】明細書
【補正対象項目名】００３８
【補正方法】変更
【補正の内容】
【００３８】
スライダ８０の造形は、可撓性ハンドル１２８を受け入れる能力となる。ハンドル１２８は、重合体リボンを含む。重合体リボンは、ラグ１３０が付着された２つの端を有する。さらに、ラグ１３０は、ハンドル界面１２０に形成された受容器に嵌められる。望まれる場合にのみ存在するテーマに従ってハンドル１２８は、便宜に取り外され、かつ、望まれるように再び装着することができる。
【手続補正２】
【補正対象書類名】特許請求の範囲
【補正対象項目名】全文
【補正方法】変更
【補正の内容】
【特許請求の範囲】
【請求項１】
固体、液体、気体、又はこれらの組み合わせを保持する可撓性容器であって、
外表面、内表面、及び外周の周縁部を有する第１パネルと、
外表面、内表面、及び外周の周縁部を有する第２パネルと、
前記第１パネル及び前記第２パネルを含む二部品封止システムと取り外し可能に係合するスライダと
を含み、
前記第１パネルの周縁部の少なくとも第１の部品が前記第２パネルの周縁部の少なくとも第１の部品にシール接合され、かつ、前記第１パネルの周縁部の、前記二部品封止システムの第１の部分を含む少なくとも第２の部品が、前記第２パネルの周縁部の、前記二部品封止システムの第２の部品を含む少なくとも第２の部分に対向する結果、前記二部品封止システムを含むシール可能な開口が画定され、
前記スライダは、
長手方向の一端において２つの側部により少なくとも一部が画定されるスロートと、
長手方向に延びるスロットを画定する２つの下壁と、
前記２つの側部の長手方向の一端において対向し、かつ、それぞれが少なくとも一つの封止システム接触部分を有する２つの側方変位可能要素と
を含み、
前記二部品封止システムが前記スロートから前記スロット内に導入される場合に前記２つの側方変位可能要素からの圧縮力により前記第１パネル及び第２パネルが係合され、かつ、前記スロットは、前記スロット内に導入された前記二部品封止システムを支承した状態で前記第１パネルと第２パネルとの分離に対する抵抗を与える可撓性容器。
【請求項２】
各パネルが締まり領域を含み、
前記スライダの前記２つの下壁が前記締まり領域に隣接し、前記二部品封止システムの前記第１パネル及び前記第２パネルの少なくとも一つと前記スライダが係合する場合の前記締まり領域間の広がりを防止する、請求項１に記載の可撓性容器。
【請求項３】
前記第１パネルの周縁部及び前記第２パネルの周縁部の前記第１の部品に開口が形成される、請求項１又は２に記載の可撓性容器。
【請求項４】
前記スライダは、前記２つの側部によって少なくとも一部が画定されるキャビティをさらに含む、請求項１から３のいずれか一項に記載の可撓性容器。
【請求項５】
前記二部品封止システムは、前記スライダのキャビティによって受け入れ可能な相互ロック部分を含む、請求項４に記載の可撓性容器。
【請求項６】
前記少なくとも一つの封止システム接触部分は、前記スライダによって画定されるキャビティ内に延びる、請求項１から５のいずれか一項に記載の可撓性容器。
【請求項７】
前記少なくとも一つの封止システム接触部分は、前記二部品封止システムの一部品が長手方向に並進する場合に前記二部品封止システムの一部品と漸次的に接触する複合的な面を有する、請求項１から６のいずれか一項に記載の可撓性容器。
【請求項８】
前記スライダは、取り外し可能なハンドルを含み、及び／又は前記スライダの一部分によって受け入れ可能な少なくとも一つのラグを含む、請求項１から７のいずれか一項に記載の可撓性容器。
【請求項９】
前記二部品封止システムは、それぞれが段部を有する第１相互ロック部分及び第２相互ロック部分を含む、請求項１から８のいずれか一項に記載の可撓性容器。
【請求項１０】
前記スライダは、前記スライダと前記容器との間に引っ張り力が適用される場合に各段部の少なくとも一部と接触する支承表面を含む、請求項１から９のいずれか一項に記載の可撓性容器。
【請求項１１】
前記スライダの前記２つの下壁は直線状、円弧状、連続状、及び／又は非連続状である、請求項１から１０のいずれか一項に記載の可撓性容器。
【請求項１２】
前記第１パネル及び前記第２パネルは、周縁部が結合される前においては別個のシート材料である、請求項１から１１のいずれか一項に記載の可撓性容器。
【請求項１３】
前記第１パネルの内表面又は前記第２パネルの内表面の少なくとも一つはポリウレタンを含み、かつ、前記第１パネルの内表面又は前記第２パネルの内表面の少なくとも一つはポリエチレンを含む、請求項１から１２のいずれか一項に記載の可撓性容器。
【外国語明細書】
2014111481.tif 000019
2014111481.tif 000020
2014111481.tif 000021
2014111481.tif 000022
2014111481.tif 000023
2014111481.tif 000024
2014111481.tif 000025
2014111481.tif 000026
2014111481.tif 000027
2014111481.tif 000028
2014111481.tif 000029
2014111481.tif 000030
2014111481.tif 000031
2014111481.tif 000032
2014111481.tif 000033
2014111481.tif 000034
2014111481.tif 000035
2014111481.tif 000036
2014111481.tif 000037
2014111481.tif 000038
2014111481.tif 000039
2014111481.tif 000040
2014111481.tif 000041
2014111481.tif 000042
2014111481.tif 000043
2014111481.tif 000044
2014111481.tif 000045
2014111481.tif 000046
2014111481.tif 000047
2014111481.tif 000048